(57)【要約】【課題】  画像表示装置の画像入力端子に、１系統の画像ケーブルにて会議卓上に置いた画像選択装置に接続するシンプルな接続において、画像選択装置に接続された複数のＰＣ等の情報処理装置の出力画像を画像表示装置上にマルチ画像表示する。【解決手段】  画像信号装置は特に複数入力と画像選択順序制御信号発生手段、画像信号選択手段、主画面用同期信号と副画面用同期信号を合成する同期合成手段、前記主画面用同期信号と副画面用同期信号の同期位相一致期間補正信号発生手段、選択画像信号ＩＤ付加手段を備え、画像表示装置は特に画像信号を量子化する量子化手段と、信号認識用ＩＤ検知回路手段と、主画面用同期信号検出手段と、副画面用同期信号検出手段、同期位相一致期間補正信号検出手段、画像メモリ手段と、画像メモリ書込み制御回路手段、とメモリ読み出し制御手段と、前期画像メモリより読み出される画像信号を表示する表示デバイス部を備える。【選択図】  図１
2006337732.tif 000002
【特許請求の範囲】
【請求項１】
複数の画像信号入力手段と、画像選択手段と、該選択画像信号出力手段と、前記画像選択手段を制御する画像選択順序制御信号発生手段と、主画面用の水平と垂直同期信号の選択手段と、副画面用の水平と垂直同期信号の選択手段と、水平と垂直同期信号の極性補正手段と、前記主画面用水平同期信号と副画面用水平同期信号を合成する水平同期合成部と、前記主画面用垂直同期信号と副画面用垂直同期信号を合成する垂直同期合成部と、主画面用同期信号と副画面用同期信号の位相一致期間補正信号発生手段と、選択画像信号認識用ＩＤ発生及び付加手段と、選択操作手段を具備した画像信号選択装置を有し、
少なくとも１系統の外部画像信号入力手段と、該画像信号入力手段より入力される画像信号を量子化する量子化手段と、前記請求項１記載のＩＤ発生回路からのＩＤ信号により画像信号チャンネルを検出する信号認識用ＩＤ検知回路手段と、主画面用水平同期信号検出手段と、主画面用垂直同期信号検出手段、副画面用水平同期信号検出手段、副画面用垂直同期信号検出手段と、垂直同期位相一致期間補正信号検出手段、水平同期位相一致期間補正信号検出手段、画像メモリ手段と、前記画像メモリ書込み制御回路手段、とメモリ読み出し制御手段と、前記画像メモリより読み出される画像信号を表示する表示デバイス部を具備した画像信号表示装置を備え、少なくとも１系統のケーブルである接続手段により接続して使用される会議用画像表示システムであって、
前記信号選択装置部は、前記選択操作部に対する操作者の、主画面表示と副画面表示の選択操作指示に従い、前記、信号選択順序決定回路手段において、主画面に対して、予め決められた複数（ｎ）フレーム間の画像選択と、入力数に応じた複数の副画面においては各々の入力に対応した１フレームを、入力数に応じたそれぞれの副画面の画像が、時間的に一致しないように選択することを順次繰り返し、時間順次画像信号として前記画像信号表示装置部に供給して、該画像信号表示装置部において前記入力された順次画像信号を所定のメモリに書き込み、表示フレーム毎に、前記それぞれの画像メモリを、表示アドレスに従い読み出し、表示デバイス部においてマルチ画像表示するようにしたことを特徴とする会議用画像表示システム。
【請求項２】
請求項１に記載の画像信号選択装置と画像信号表示装置と少なくとも１系統のケーブル手段からなる、会議用画像表示システムに於いて、
前記映像信号選択装置は、
該映像信号選択装置が出力する水平同期信号は、前記映像信号選択装置の前記選択操作手段により選択した、前記主画面の出力画像に対応する水平同期信号が選択出力されると同時に、逐次選択される副画面に対応した水平同期信号を選択して、前記主画面の同期信号に該主画面の水平同期信号とは逆極性で加算された複合水平同期信号として出力し、
該映像信号選択装置が出力する垂直同期信号は、前記映像信号選択装置の前記選択操作手段により選択した、前記主画面の出力画像に対応する垂直同期信号が選択出力されると同時に、逐次選択される副画面に対応した垂直同期信号を選択して、前記主画面の同期信号に該主画面の垂直同期信号とは逆極性で加算された複合垂直同期信号として出力することを特徴とする会議用画像表示システム。
【請求項３】
請求項１又は、請求項２に記載の画像信号選択装置と画像装置と少なくとも１系統のケーブル手段からなる、会議用画像表示システムに於いて、
前記画像信号表示装置は、前記画像表示装置に入力される、前記主画面用同期信号に該主画面の同期信号とは逆極性で加算された前記複合水平同期信号及び、前記主画面用同期信号に該主画面の同期信号とは逆極性で加算された前記複合垂直同期信号を分離して、前記請求項１記載の画像メモリ手段に供給される、前記入力される画像信号を量子化する量子化手段により量子化された画像信号を、前記主画面の水平及び垂直同期信号に基づき前記前記画像メモリの主画面用メモリアドレスに書き込みを行い、
前記副画面の水平及び垂直同期信号に基づき前記画像メモリの副画面用メモリアドレスに、書き込みを行うことを特徴とする会議用画像表示システム。
【請求項４】
前記請求項２記載の会議用画像表示システムの画像信号選択装置に於いて、
該画像信号選択装置の出力する前記主画面の同期信号と該主画面の同期信号とは逆極性で付加された副画面用同期信号から成る複合された複合水平同期信号及び複合垂直同期信号の水平、垂直それぞれの主画面用同期信号と副画面用同期信号が僅かでも、該同期期間が一致して干渉する期間に関して、
以下（１）〜（５）の様に、位相一致期間補正信号発生手段において、適応して処理することを特徴とする
（１）主画面用同期信号の開始よりも副画面用同期信号の開始が早い場合、出力される複合同期信号の副画面用同期の開始は副画面用同期信号開始であり、終了は主画面用同期開始時間として出力する。
（２）前記、主画面同期信号の開始よりも副画面用同期信号の開始が遅い場合、出力される複合同期信号の副画面用同期の開始（立ち上りと呼ぶ）は、副画面用同期信号を予め決められた時間Ｄと２ΔＴ時間だけ遅延した時間であり、該出力される複合同期信号の副画面用同期の開始からΔＴ時間後に一旦終了（立下り）した後、さらにΔＴ時間後に、立ち上がり所定時間の後たち下がる認識用補正パルス信号を付加した同期信号を出力する。
（３）前記、副画面用同期信号の開始と主画面同期信号の開始が同じ場合は、出力される複合同期信号の副画面用同期の開始（立ち上りと呼ぶ）は、副画面用同期信号を予め決められた時間Ｄと２ΔＴ時間だけ遅延した時間であり、該出力される複合同期信号の副画面用同期の開始からΔＴ時間後に一旦終了（立下り）した後、さらにΔＴ時間後に、立ち上がり所定時間の後たち下がる認識用補正パルス信号を付加した同期信号を出力する。
（４）前記、主画面用同期信号の開始よりも副画面用同期信号の開始が早く、尚且つ、副画面用同期信号の開始から主画面用同期信号の開始の時間がΔＴ以内の場合は、副画面用同期信号を予め決められた時間Ｄと２ΔＴ時間だけ遅延した時間であり、該出力される複合同期信号の副画面用同期の開始からΔＴ時間後に一旦終了（立下り）した後、さらにΔＴ時間後に、立ち上がり所定時間の後たち下がる認識用補正パルス信号を付加した同期信号を出力する。
（５）前記ΔＴは、ΔＴ＜（Ｄ／２）であることを特徴とする、請求項２記載の会議用画像表示システム。
【請求項５】
請求項１から請求項４のいずれかに記載の会議用画像表示システムにおける
画像信号選択装置と画像信号表示装置と少なくとも１系統のケーブル装置よりなる会議用表示システムの前記画像信号表示装置は、
前記請求項４記載の画像信号選択装置より供給される、前記請求項４記載の同期位相一致補正信号を付加した垂直複合同期信号及び前記請求項４記載の同期位相一致補正信号を付加した水平複合同期信号から、
前記請求項１記載の垂直同期位相一致期間補正信号検出手段及び水平同期位相一致期間補正信号検出手段とメモリ書き込み制御手段により、以下（１）又は、（２）の様に制御したことを特徴とする会議用画像表示システム。
（１）同期位相一致補正信号が無い場合は、該副画面用同期信号の同期の立ち上がりより一定時間（Ｅ）後に画像メモリの書き込みタイミング信号がスタートする。
（２）同期位相一致補正信号が検出された場合には、該副画面用同期信号の同期の立ち上がりから、画像メモリの書き込みタイミング信号のスタートする間での時間を前記時間（Ｅ）より短くする。
【請求項６】
前記請求項１から請求項５のいずれかに記載の会議用画像表示システムにおける画像信号選択装置と画像信号表示装置と少なくとも１系統のケーブル装置よりなる会議用表示システムの画像選択装置のＩＤ発生手段からのＩＤ信号は画像及び同期入力選択を、周波数の違い、又は位相の違い、又はパルス幅の違い、パルスコードの違い、電圧の違いのいずれかで、画像信号の或いは同期信号の垂直ブランキング期間又は水平ブランキング期間のいずれかの位相で、出力し、画像信号表示装置部のＩＤ検出手段は周波数の違い、又は位相の違い、又はパルス幅の違い、パルスコードの違い、電圧の違いのいずれかを検出することを特徴とする会議用画像表示システム。
【請求項７】
前記請求項１から請求項６のいずれかに記載の画像信号選択装置と画像信号表示装置と少なくとも１系統のケーブル装置よりなる会議用表示システムの画像選択装置と画像信号表示装置を第二の接続手段により接続して、画像信号表示装置の操作部より入力信号を選択して、前記画像信号選択装置の選択を制御するようにしたことを特徴とする会議用画像表示システム。
【請求項８】
前記請求項１から請求項７のいずれかに記載の画像信号選択装置と画像信号表示装置と少なくとも１系統の画像信号伝送用ケーブル装置よりなる会議用表示システムの画像選択装置と画像信号表示装置の画像選択装置に前記複数入力にそれぞれ対応した複数のシリアル通信用端子と該複数通信端子の信号に対して切り換えて共用に使用可能なシリアル通信端子を具備した画像信号選択装置を備えた会議用画像表示システム。
【発明の詳細な説明】
【技術分野】
【０００１】
本発明は会議における複数のパーソナルコンピュータ（以下ＰＣ）等の情報処理装置の出力画像信号を入力して、マルチ画像表示に対応した単一の出力を表示装置に供給する画像信号選択装置と該画像信号選択装置からの画像信号を一つの画面にマルチ画像表示する会議用の共通表示装置に関する。
【背景技術】
【０００２】
従来、複数の会議用ノート型パーソナルコンピュータ（以下ノートＰＣ）を、会議卓にて使用して、会議室に備えられた、或いは準備した共通のリアプロジェクションディスプレイ等の大型ディスプレイやフロントプロジェクターに該画像をマルチ表示する場合、図２１に示すように、共通ディスプレイ２は複数の画像入力端子５０を備え、それぞれのノートＰＣ１０１の画像出力端子からケーブル３を、前記共通ディスプレイ２の複数の画像入力端子５０に接続して、該共通ディスプレイ２に備えられた入力画像切換えスイッチを操作することにより、前記それぞれの入力画像を、主画面と副画面の切り換え選択等をして、マルチ画面表示していた。
【０００３】
又、図示しないが画像入力端子の少ない、共通大型ディスプレイに、前記複数の会議用ノートＰＣの画像信号を入力する場合には、一旦ノートＰＣの画像信号を、前記共通大型ディスプレイから分離される選択装置、所謂スイッチボックスに入力して、該選択装置に入力された複数の画像信号入力を、該選択装置の選択スイッチ操作により選択して、該選択出力信号を前記大型ディスプレイに単一等の少ない接続ケーブルにより接続して、該選択装置からの任意選択画像を単一表示して、会議のプレゼンテーション等を行っている。
【０００４】
又、別の従来例としては、特許文献１及び特許文献２をあげることが出来る。
【特許文献１】特開平06-276192号公報
【特許文献２】特開平06-276335号公報
【発明の開示】
【発明が解決しようとする課題】
【０００５】
しかしながら、上記従来の技術例において、前者は共通の大型ディスプレイに対して、それぞれのノートＰＣから複数系統のケーブルが接続されることにより、ディスプレイ近辺及び会議卓上周辺領域の煩雑によるスペース使用の制限が発生する課題があった。
【０００６】
また、後者のように会議卓に信号選択装置を設置してケーブルを接続した場合、複数ノートＰＣからの複数画像信号の選択された何れか一つの信号のみが、共通ディスプレイに供給される為、他のノートＰＣの画像の状態を、前記共通ディスプレイ上で確認出来ず、会議用表示画面としての一覧性、操作性が劣るという課題があった。
【０００７】
本発明は上述したような、ディスプレイ近辺及び会議卓上周辺領域の煩雑によるスペース使用の制限を回避しつつ、会議卓上からの簡単な操作により、複数画像入力信号をマルチ画像表示を可能とし会議における入力画像の一覧性を実現し操作性を向上させることを目的とする。
【課題を解決するための手段】
【０００８】
前述の課題を解決するために、本発明に於いては、複数の画像信号入力手段と、画像選択手段と、該選択画像信号出力手段と、前記画像選択手段を制御する画像選択順序制御信号発生手段と、主画面用の水平と垂直同期信号の選択手段と、副画面用の水平と垂直同期信号の選択手段と、選択された副画面の水平と垂直同期信号の極性補正手段と、前記主画面用水平同期信号と副画面用水平同期信号を合成する水平同期合成部と、前記主画面用垂直同期信号と副画面用垂直同期信号を合成する垂直同期合成部と、主画面用同期信号と副画面用同期信号の位相一致期間補正信号発生手段と、選択画像信号認識用ＩＤ発生及び付加手段と、選択操作手段を具備したことを特徴とする画像信号選択装置と、
少なくとも１系統の外部画像信号入力手段と、該画像信号入力手段より入力される画像信号を量子化する量子化手段と、前記ＩＤ発生回路からのＩＤ信号により画像信号チャンネルを検出する信号認識用ＩＤ検知回路手段と、主画面用水平同期信号検出手段と、主画面用垂直同期信号検出手段、副画面用水平同期信号検出手段、副画面用垂直同期信号検出手段と、垂直同期位相一致期間補正信号検出手段と、水平同期位相一致期間補正信号検出手段と、画像メモリ手段と、前記画像メモリ書込み制御回路手段、とメモリ読み出し制御手段と、前記画像メモリより読み出される画像信号を表示する表示デバイス部を具備したことを特徴とする画像信号表示装置。
【０００９】
前記画像信号選択装置の出力画像信号及び同期信号を前記画像信号表示装置の画像入力端子に接続する少なくとも１系統の接続ケーブルより構成される接続手段より構成される。
【発明の効果】
【００１０】
本願の請求項１に記載した発明によれば、複数ＰＣの画像信号が接続された複数画像入力を持つ選択装置部と表示部に分離して離れた位置にレイアウトしてあっても、１系統の接続ケーブルにおいて接続することが可能となり、会議テーブル上の複数のケーブルの引き回しが少なくなりシンプルとなる。尚且つ、標準的な、一系統の接続ケーブルで接続してあるにもかかわらず、会議出席者の操作する各々の会議用ＰＣの全ての入力画像を表示部において同一画面上に速やかに表示可能となり会議の情報共有を円滑に進めることが可能となる。また、表示部の画像入力端子に、直接ＰＣの標準の画像インターフェースコネクタより、標準の接続ケーブルにて接続も可能となり、専用コネクタの装着を不要とすることが出来る。
【発明を実施するための最良の形態】
【００１１】
以下、本発明の詳細を実施例の記述に従って説明する。
【実施例１】
【００１２】
「図１は本発明の特徴を最もよく表す図面であり、同図において、
１は信号選択装置部
２は表示装置部
３は画像信号伝送ケーブル
１０〜１３は画像信号入力端子
１４は画像信号選択部
１５は画像信号出力端子
１６は主画面用垂直同期信号選択部
１７は主画面用水平同期信号選択部
１８は副画面用垂直同期信号選択部
１９は副画面用水平同期信号選択部
２０は信号選択順序決定部
２１は垂直同期反転部
２２は水平同期反転部
２３は垂直同期合成部
２４は水平同期合成部
２５と２６は同期一致期間補正信号発生部
２７は信号選択操作部
２８はＩＤ付加部
５０は画像信号入力端子
５１はアナログデジタルコンバータ（以下ＡＤコンバータ）
５２は画像メモリ
５３は画像メモリ
５４は画像メモリ
５５は画像メモリ
５６は表示デバイス部
５７主画面用垂直同期信号検出部
５８副画面用垂直同期信号検出部
５９主画面用水平同期信号検出部
６０副画面用水平同期信号検出部
６１垂直同期一致期間補正部
６２水平同期一致期間補正部
６３はメモリの書込み制御部
６４はメモリ読出し制御部
６５はタイミングパルス発生部
６６クロック発生部
６７はマイクロコンピュータ以下ＣＰＵ
６８は操作スイッチ部
６９はＩＤ検出部
である。
【００１３】
次に図２に本発明の前記選択装置部１と、前記表示部２と、前記画像信号伝送ケーブル３と、外部複数のノートブック型パーソナルコンピュータ（以下ノートＰＣ）１0１、による、実際の会議の場合の構成を示す。１０２は会議用テーブルである。
【００１４】
図２のように、複数の会議参加者用の１０１のノートＰＣが１の選択部の画像信号入力端子１０〜１３に接続され画像信号が供給される。又１の信号選択装置部の画像信号出力端子１５から、画像信号伝送ケーブル３を介して、表示装置部２の画像信号入力端子５０に接続される。
【００１５】
信号選択装置部１の上面には２７の選択操作部（選択スイッチ）が配列され操作して主画面を選択する。
【００１６】
尚図２における構成に対応する回路ブロック図を図３(ａ)に示す。また複数画面表示の画面例を図２（ｂ）に示す。
【００１７】
次に、図１において本実施例の具体的な動作について詳しく説明する。
【００１８】
画像信号入力端子１０〜１３は本実施例においては、現在一般に普及しているミニＤｓｕｂ１５ピンと呼ばれているもので、前記１０１の会議参加者用のノートＰＣの画像信号出力端子よりＰＣ画像信号が供給されている。ここでは、図１のように、該入力画像信号をＡ、Ｂ、Ｃ、Ｄと呼ぶことにする。
【００１９】
それぞれのＡ、Ｂ、Ｃ、Ｄの画像信号は、赤、緑、青の３つのアナログ画像信号と、水平同期信号と、垂直同期信号と、ＤＤＣ（ディスプレイデータ信号）などの通信データ線により構成されるが、ここでは説明上アナログ画像信号と水平同期信号、垂直同期信号に着目して説明を行う。又、赤、緑、青の３つのアナログ画像信号に関しては、色表示の情報が異なるのみで、それ以外はそれぞれ同様の処理を行うものであり、以下単に画像信号として説明を行う。
【００２０】
前記Ａ、Ｂ、Ｃ、Ｄの入力画像信号が、前記四つの画像信号入力端子１０〜１３に対して、それぞれ異なるＰＣより入力され、１４の画像信号選択回路に供給される。この場合の選択回路１４は、前述のように、カラーの場合赤、緑、青用の３つ必要になることは勿論である。ここでは単一にて説明を続ける。
【００２１】
今４つの画像信号Ａ、Ｂ、Ｃ、Ｄはそれぞれ水平周波数、フレーム周波数、表示解像度等の表示モードが同一であることを前提で説明を行う。
【００２２】
尚、それぞれの画像信号Ａ、Ｂ、Ｃ、Ｄの同期タイミングに関しては勿論連携は無く、非同期となる。
【００２３】
次に１４の信号選択回路は、前記４つの入力信号を後述する信号選択順序設定部２０からの選択アドレス信号に従い選択して、１５の画像信号出力端子に出力される。ここでは前述のように画像信号は赤、緑、青の３つのアナログ画像信号である。
【００２４】
一方、前記、画像信号入力端子１０〜１３にそれぞれ供給される水平同期信号については、１７の主画面用水平同期選択部、垂直同期信号については、１６の主画面用垂直同期選択部に供給される。１６の主画面用垂直同期選択部及び１７の主画面用水平同期選択部には選択信号が２０の信号選択順序決定部より供給され、後述する選択パターンに従い各同期信号を選択してそれぞれ、２３の垂直同期合成部、及び２４水平同期合成部に供給される。
【００２５】
又、前記、画像信号入力端子１０〜１３にそれぞれ供給される垂直同期信号は、副画面用垂直同期選択部に供給され、２１の垂直同期反転部を通って２５の同期一致期間補正信号発生部に供給され、後述する、同期一致期間の補正を受け、２３の垂直同期合成部に供給される。
【００２６】
一方、画像信号入力端子１０〜１３にそれぞれ供給される水平同期信号は、副画面用水平同期検出部１９に供給され、２２の水平同期反転部を通って、２６の同期一致期間補正信号発生部に入力され、後述する同期一致期間の補正を受け、２４の水平同期合成部に供給される。
【００２７】
２３の垂直同期合成部に於いては、前述の１６の主画面用垂直同期選択部からの選択垂直同期信号、
２４の水平同期合成部に於いては、前述の１７の主画面用水平同期選択部からの選択水平同期信号、とそれぞれ合成され、１５の信号出力端子より合成水平同期信号及び合成垂直同期信号を出力する。
【００２８】
次に前記１４の信号選択部の制御について述べる。
【００２９】
先ず、２６の選択操作部により１０〜１３の画像信号入力端子に入力された４つの画像信号Ａ、Ｂ、Ｃ、Ｄについて、親画面を選択する。操作選択部２６には図示しないが選択スイッチが備えられている。
【００３０】
今仮に、２６の選択操作部の選択スイッチにより親画面をＡとして選択したとすると、２０の信号選択順序決定部の優先画像をＡと決定する。
【００３１】
〔信号選択順序決定部〕
次に信号選択順序決定部２０の動作について説明する。
【００３２】
図４は２０の信号選択順序決定部の構成を示す図で、
垂直同期入力切換回路１６１と信号順序検知回路１６２にて構成され、
垂直同期入力切換部１６１は、切換スイッチ回路１６７〜１７０を持つ。
【００３３】
信号順序検知部１６２は、
８進カウンター回路１７４、
Ｄフリップフロップ回路１７３
Ｄフリップフロップ回路１７２
Ｄフリップフロップ回路１７１
と複数のゲート回路より構成される。
【００３４】
先ず親画面をＡとした場合同期切換スイッチ１６７が、入力１６３からのＡ信号の垂直同期を選択して１６２の信号順序検知回路部の端子Ｅを介して８進カウンター回路１７４に供給する。
【００３５】
それ以外の画像信号Ｂ，Ｃ，Ｄは、それぞれ図４の垂直同期入力切替回路１６１の各々の入力１６４、１６５、１６６に対応した垂直同期信号は、それぞれ１６８〜１７０の切換スイッチにより選択して、信号順序検知部１６２のそれぞれＦ、Ｇ、Ｈを介してＦは１７１のＤフリップフロップ回路、Ｇは１７２のＤフリップフロップ回路、Ｈは１７３のＤフリップフロップ回路に供給される。
【００３６】
１７５はマイクロコンピュータであり先ず、各カウンター回路の初期値をＬＯＷ出力になるようにリセット後から説明する。
【００３７】
Ｅ，Ｆ，Ｇ，Ｈのいずれか最初に垂直同期信号の同期エッジタイミングがアクティブになった場合
対応するフリップフロップ出力ＱがＨｉｇｈとなり、
８進カウンター回路１７４の場合は８フレーム、Ｄフリップフロップ回路１７１〜１７３の場合はそれぞれ１フレームで出力ＱはＬＯＷに戻る。それぞれのカウンターがアクティブ状態の場合、他のカウンターに対してゲート回路を介して待機命令を出す。
【００３８】
従って、本実施例の場合、最初にＡの画像信号に対して８進カウンター回路１７４により８フレーム期間信号Ｉを能動にして、
Ａ信号を選択、次に本実施例においては最初に到来した画像信号Ｃの画像信号に対してＤフリップフロップ回路１７２により、１フレーム期間を選択する出力Ｋを能動に、次に到来したＢの画像信号に対してＤフリップフロップ回路１７３により１フレームを選択する出力Ｊを能動に、
次に到来したＤの画像信号に対してＤフリップフロップ回路１７１により１フレームを選択する出力Ｌを能動にする。
【００３９】
該選択信号Ｉ、Ｊ、Ｋ、Ｌは、エンコードされ或いはそのまま、図１に示される、１４の信号選択部の選択信号として選択制御を行ない、順次該当する入力画像信号を選択して１５の出力端子に出力する。
【００４０】
つまりＩはＡ画像信号を、ＪはＢ画像信号を、ＫはＣ画像信号をそれぞれ能動時において選択する。
【００４１】
以上の信号選択動作の例として、図５のタイミング図を示す。
【００４２】
図５において、入力信号Ａ、Ｂ，Ｃ，Ｄがフリーランの偶然な位相関係にて入力され、前述のように図１及びに示される２０の信号選択順序決定部において信号選択の順位が決定され選択信号Ｊ，Ｋ，Ｌ、Ｍが図５の様に出力され、１４の選択回路により選択された信号が図５の出力信号ＳＯに示される様に、Ａ信号のｎフレームの画像Ａｎから順次Ａｎ+１、Ａｎ+2、Ａｎ+3、Ａｎ+4、Ａｎ+5、Ａｎ+6、Ａｎ+7、までＡ画像を出力して、次にＣ画像のｎフレームの画像Ｃｎ、次にＢ画像のｎフレームの画像Ｂｎ、次にＤ画像のｎフレームの画像Ｄｎ、を選択出力されるものである。ここで出力信号ＳＯは１５の画像信号出力端子の信号である。
【００４３】
ここでは、Ａ画像信号が主画面でＢ、Ｃ，Ｄの画像信号が副画面である。
【００４４】
〔画像信号ＩＤの付加〕
さらに前記副画面のＢ、Ｃ，Ｄの画像信号に対してＩＤ付加回路２８によりＩＤ信号を重畳する。この画像信号ＩＤは例えば
Ａ画面の周波数が７ＭＨｚ、
Ｂ画面の周波数が８ＭＨｚ、
Ｃ画面の周波数が９ＭＨｚ、
Ｄ画面の周波数が１０ＭＨｚ、
のバースト信号を画像信号の垂直ブランキング期間のバックポーチ期間に対して付加するものである。勿論、主画面に対しても同様にＩＤ信号として付加してもよい。
【００４５】
ＩＤ付加回路２８は、２０の信号選択順序決定部より制御される。
【００４６】
このＩＤ信号は、電圧の異なるパルス状波形を重畳しても同様の目的は果たせるものである。またパルスの位相の違い、又はパルス幅の違い、パルスコードの違い、等で実施しても可能である。
【００４７】
又、このＩＤ信号は垂直ブランキング期間の他に水平ブランキング期間でも実施可能なことは勿論である。さらには周波数が極端に高ければ同期信号に付加しても同様に処理可能である。
【００４８】
〔同期信号の選択〕
〔主画面用垂直同期信号の選択〕
次に垂直同期信号に関しては、先ず主画面用の垂直同期信号を、２７の選択操作部の操作により、主画面選択信号が２０の信号選択順序決定部を介して、主画面垂直同期選択信号により、１６の主画面用垂直同期選択部の選択制御が行われる。本実施例に於いては、主画面をＡとして説明をしているので、１０の画像信号入力端子からのＡ画像の垂直同期信号を選択して、２３の垂直同期合成部に供給するものである。同時に後述する同期一致期間補正信号発生部２５にも供給する。
【００４９】
次に垂直同期信号に関しては、副画面用の垂直同期信号を、２０の信号選択順序決定部による選択信号に基づき、１８の副画面用垂直同期選択部の選択制御が行われる。具体的には垂直同期の選択は前記図５に示された、タイミング図の画像信号の選択順序に対応して、図６の垂直同期選択タイミング図に示されるような、垂直同期信号Ｃ、Ｂ、Ｄの順に選択され、副画面の垂直同期信号のみを選択出力するものであり、図６に示される様に、前述の１８の副画面用垂直同期選択部より選択副画面用垂直同期信号（ＳＳＶＳＹＮＣ）が出力される。
【００５０】
〔副画面用垂直同期信号の極性反転〕
次に前記選択副画面用垂直同期信号（ＳＳＶＳＹＮＣ）は、図７（ｃ）に示されるように２１の垂直同期反転部にて極性を正極性に反転したあと、２５の同期一致期間補正信号発生部に供給される。２５の同期一致期間補正信号発生部を経由して、２３の垂直同期合成部に供給される。尚、２５の同期一致期間補正信号発生部に関しては後述する。
【００５１】
２３の垂直同期合成部においては、図７（ｄ）に示される様に、主画面用同期信号を負極性に、副画面用同期信号を正極性、非同期期間を０とした出力レベルを備える。この場合の極性は基準を非同期期間においた場合であり、相対的にほぼ等しい３つのレベルにて構成されれば良いことは勿論である。また特定のレベル比を設定しても良い。
【００５２】
この場合の同期タイミング例は図６の複合垂直同期信号ＭＶＳＹＮＣに示す。このタイミングは前述の図５のタイミング図の画像信号選択タイミングに対応するものである。
【００５３】
〔垂直の同期位相一致期間補正信号発生〕
次に、前述のように、主画面と副画面の垂直同期信号を合成出力する場合、主画面と副画面の垂直同期期間が一致することは、お互いの同期間関係がフリーである以上避けがたい。そこで、僅かでも主画面と副画面の垂直同期期間が一致した場合は、前述のような合成だけでは、同期タイミング情報が欠落してしまう。
【００５４】
本実施例においては、
２５の同期一致期間補助信号発生手段により
図８（ａ）に示されるようにＶｍの主画面用垂直同期信号とＶｓの副画面用垂直同期信号の位相が一致した場合、同図のＶｃに示すような、Ｖｍの主画面用垂直同期信号の位相に一致しないＶｓの副画面用垂直同期信号に対して一定の位相関係を持つタイミングで特定の波形を備えた位相一致期間補正信号Ｖｃが付加されるものである。
【００５５】
以下、詳しくは、図８（ｂ）と（ｃ）に基づき説明をする。
【００５６】
図８（ｂ）は主同期信号と副同期信号の位相関係の事例を示したものであり、主画面用垂直同期信号Ｖｍに対して副画面側の垂直同期信号ＶｓをＴＩＭＩＮＧ１〜２６までの位相関係で示した。
【００５７】
副画面側の垂直同期信号をＴＩＭＩＮＧ１〜２６のうち、１〜６、１８〜２６それ以降に関しては、其の侭主画面用垂直同期信号と合成可能であり、（Ｃ）にその場合の副画面垂直同期波形をＴＩＭＩＮＧ１〜６、ＴＩＭＩＮＧ１８〜２６で示す。
【００５８】
次に、
図８（ｂ）に示された主信号の垂直同期信号Ｖｍに対して、副画面用垂直同期信号ＶｓがＴＩＭＩＮＧ６〜ＴＩＭＩＮＧ１１であった場合、図８（ｃ）のＴＩＭＩＮＧ６〜ＴＩＭＩＮＧ１１に示される様に、副画面用垂直同期信号Ｖｓのスタート（立ち上がり）エッジから主画面用垂直同期信号Ｖｍのスタート（立ち上がり）エッジ）に差しかかるまでの期間を出力する。この場合、図９の（ａ）に示されるような回路にて信号を発生選択出来るものである。又図９（ａ）の回路図の各部における動作波形を（ｂ）に示す。（ｂ）の動作波形は、主画像用同期を（９）として副同期信号を（１）で示し、副同期信号（１）の前記主画像用同期との位相関係において位相例１から４に分けてそれぞれの位相関係で示すものである。
【００５９】
次に、図８（ｂ）に示された主画面用垂直同期信号Ｖｍに対して、副画面用垂直同期信号ＶｓがＴＩＭＩＮＧ１１以降からＴＩＭＩＮＧ１７の期間、に関して、副画面垂直同期信号を、図８（ｃ）のＴＩＭＩＮＧ１２からＴＩＭＩＮＧ１７に示すように、垂直同期一致期間補正信号Ｖｃは、副画面垂直同期信号Ｖｓのスタートより時間Ｒだけ遅延されてスタートして、且つ、ΔＴ期間の間においてＨｉｇｈ（１）となり、その後ΔＴ期間ＬＯＷ（０）となり、また時間Ｔｖｓの間において継続してＨｉｇｈ（１）となる。
【００６０】
（ここで、参考値としては、ΔＴ＝Ｔｖｍ／１２であり、Ｔｖｍは主画面用垂直同期信号の同期期間、Ｒは前記垂直同期信号期間Ｖｍに対して、Ｔｖｍ＋（２ΔＴ）である。）
この場合、前述のように、図９の（ａ）に示されるような回路にて信号を発生選択出来るものである。
【００６１】
次に前記図８（ｂ）のＴＩＭＩＮＧ１１からＴＩＭＩＮＧ１２の間の期間に関しては、前記同様のＶｓのスタートから前記同様の遅延時間Ｒ遅延後、垂直同期一致期間補正信号としてΔＴ期間の間においてＨｉｇｈ（１）となり、その後ΔＴ期間ＬＯＷ（０）となり、また時間Ｔｖｓの間において継続してＨｉｇｈ（１）となる信号を前記同様に出力する。
【００６２】
尚、副画面用垂直同期信号は順次図６のタイミングの例に示される様に、入れ代わるが、それぞれの選択された副画面用垂直同期信号に対して、前述のように、主画面垂直同期信号との位相の干渉が発生する場合には前述のような位相一致期間の補正信号を付加するものである。以上のように垂直同期一致期間補正信号発生部は主画面と副画面の垂直同期信号の位相条件により補正信号を発生し付加するものである。
【００６３】
以上述べたように、垂直同期一致期間補正信号発生部から副画面用ス直同期信号が出力され２３の垂直同期合成部において、前記、副画面用垂直同期信号の極性反転に関する説明で述べたように、図７（ｄ）のようなレベル関係にて合成され出力端子１５を介して後述する２の表示装置部へ出力されるものである。
【００６４】
〔主画面用水平同期信号の選択〕
次に水平同期信号に関しては、先ず主画面用の水平同期信号を２７の選択操作部の主画面選択操作により、２０の信号選択順序決定部からの、主画面水平同期選択信号により、１７の主画面用水平同期選択部の選択制御が行われる。本実施例に於いては、主画面をＡとして説明をしているので、１０の画像信号入力端子からのＡ画像の水平同期信号を選択して、１４の水平同期合成部に供給するものである。同時に後述する同期一致期間補正信号発生部２６にも供給する。
【００６５】
〔副画面用水平同期信号の選択〕
次に、副画面用の水平同期信号を、２０の信号選択順序決定部による選択信号に基づき、２０の信号選択順序決定部からの副画面水平同期選択信号により、１９の副画面用水平同期選択部の選択制御が行われる。具体的には副画面用水平同期の選択は前記図１０に示された、タイミング図の画像信号の選択順序に対応して、水平同期信号Ｃ、Ｂ、Ｄの順に選択され、副画面の水平同期信号のみを選択出力するものであり、図１０に示される様に、前述の１９の副画面用水平同期選択部より、選択副画面用水平同期信号（ＳＳＨＳＹＮＣ）が出力される。
【００６６】
〔副画面用水平同期信号の極性反転〕
次に前記選択副画面用水平同期信号（ＳＳＨＳＹＮＣ）は、図１１（ｃ）に示されるように、２２の水平同期反転部にて、極性を正極性に反転したあと、２６の同期一致期間補正信号発生部を介して２４の水平同期合成部に供給される。
【００６７】
２６の同期一致期間補正信号発生部については後述する。
【００６８】
２４の水平同期合成部においては、図１１（ｄ）に示される様に、主画面用水平同期信号を負極性に、子画面用同期信号を正極性、非同期期間を０とした出力レベルを備える。この場合の極性は基準を非同期期間においた場合であり、相対的にほぼ等しい３つのレベルにて構成されれば良いことは勿論である。また特定のレベル比を設定しても良い。
【００６９】
この場合の波形を各画像信号選択レートが判りやすいように、何フレームかの同期タイミング例で示した図１０での複合水平同期信号ＭＨＳＹＮＣに示す。このタイミングは前述の図５のタイミング図の画像信号選択タイミングに対応するものである。
【００７０】
尚図１０の場合の各水平同期信号に関しては垂直同期（フレーム）単位の同期波形は重畳されないが、図面の見易さを考慮して垂直同期（フレーム）単位の指標として重ねて表記している。
【００７１】
〔水平の同期位相一致期間補正信号発生〕
次に、前述のように、主画面と副画面の水平同期信号を合成出力する場合、前記垂直同期信号の場合と同様な、主画面と副画面の水平同期期間が一致することは、お互いの同期間関係がフリーである以上避けがたい。そこで、僅かでも主画面と副画面の水平同期期間が一致した場合は、前述のような合成だけでは、同期タイミング情報が欠落してしまう。
【００７２】
本実施例においては、２６の同期一致期間補助信号発生部により、図１２（ａ）に示されるように、Ｈｍの主画面用水平同期信号とＨｓの副画面用水平同期信号の位相が一致した場合、同図のＨｃに示すような、Ｈｍの主画面用水平同期信号の位相に一致しないＨｓの副画面用水平同期信号に対して、一定の位相関係を持つタイミングで特定の波形を備えた位相一致期間補正信号Ｈｃが付加されるものである。
【００７３】
以下、詳しくは、図１２（ｂ）と（ｃ）に基づき説明をする。
【００７４】
図１２（ｂ）は主同期信号と副同期信号の位相関係の事例を示したものであり、主画面用水平同期信号Ｈｍに対して副画面側の水平同期信号をＴＩＭＩＮＧ１〜２６までの位相関係で示した。
【００７５】
副画面側の水平同期信号をＴＩＭＩＮＧ１〜２６のうち、１〜６、１８〜２６それ以降に関しては、其の侭主画面用水平同期信号と合成可能であり、（Ｃ）にその場合の副画面水平同期波形をＴＩＭＩＮＧ１〜６、ＴＩＭＩＮＧ１８〜２６で示す。
【００７６】
次に、図１２（ｂ）に示された主信号の水平同期信号Ｈｍに対して、副画面用水平同期信号Ｈｓが、ＴＩＭＩＮＧ６〜ＴＩＭＩＮＧ１１であった場合、図１２（ｃ）のＴＩＭＩＮＧ６〜ＴＩＭＩＮＧ１１に示される様に、副画面用水平同期信号Ｈｓのスタート（立ち上がり）エッジから主画面用水平同期信号Ｈｍのスタート（立ち上がり）エッジ）に差しかかるまでの期間を出力する。この場合、前記垂直同期の一致補正信号の発生と同様の図９の（ａ）に示されるような回路にて信号を発生選択出来るものである。
【００７７】
次に、図１２（ｂ）に示された主画面用水平同期信号Ｈｍに対して、副画面用水平同期信号ＨｓがＴＩＭＩＮＧ１１以降からＴＩＭＩＮＧ１７の期間、に関して、副画面水平同期信号を、図１２（ｃ）のＴＩＭＩＮＧ１２からＴＩＭＩＮＧ１７に示すように、水平同期一致期間補正信号Ｈｃは、副画面水平同期信号Ｈｓのスタートより、時間Ｒｈだけ遅延されてスタートして、且つ、ΔＴｈ期間の間においてＨｉｇｈ（１）となり、その後ΔＴｈ期間ＬＯＷ（０）となり、また時間Ｔｈｓの間において継続してＨｉｇｈ（１）となる。
【００７８】
（ここで、参考値としては、ΔＴｈ＝Ｔｈｍ／１２であり、Ｔｈｍは主画面用水平同期信号の同期期間）
Ｒｈは前記水平同期信号期間Ｈｍに対して、Ｔｈｍ＋（２ΔＴｈ）である。）
この場合、前記垂直同期の一致補正信号の発生と同様に図９の（ａ）に示されるような回路にて信号を発生選択出来るものである。
【００７９】
次に前記図１２（ｂ）のＴＩＭＩＮＧ１１からＴＩＭＩＮＧ１２の間の期間に関しては、前記同様のＨｓのスタートから前記同様の遅延時間Ｒｈ遅延後、水平同期一致期間補正信号としてΔＴｈ期間の間においてＨｉｇｈ（１）となり、その後ΔＴｈ期間ＬＯＷ（０）となり、また時間Ｔｈｓの間において継続してＨｉｇｈ（１）となる信号を前記同様に出力する。
【００８０】
尚、副画面用水平同期信号は順次図１０の選択副画面用水平同期信号ＳＳＨＳＹＮＣのタイミングの例に示される様に、入れ替わるが、それぞれの選択された副画面用水平同期信号に対して、前述のように、主画面用水平同期信号との位相の干渉が発生する場合には前述のような位相一致期間の補正信号を付加するものである。
【００８１】
以上のように水平同期一致期間補正信号発生部２６は、主画面と副画面の水平同期信号の位相条件により補正信号を発生し付加するものである。
【００８２】
以上述べたように、水平同期一致期間補正信号発生部から副画面用水平同期信号が出力され２４の水平同期合成部において、前記、副画面用水平同期信号の極性反転に関する説明で述べたように、図１１（ｄ）のようなレベル関係にて合成され出力端子１５を介して後述する２の表示装置部へ出力されるものである。
【００８３】
以上が図１に示された、１の信号選択部の動作である。
【００８４】
次に３の画像信号伝送ケーブルについて説明する。
【００８５】
３の画像信号伝送ケーブルは図示しないが本実施例においては、赤色用信号線、青色信号線、緑色信号線、と水平同期信号線、垂直同期信号線を及び表示用認識データ伝送線を備える所謂一般的なＶＧＡケーブルである。
【００８６】
また、このケーブルは、画像信号及び同期信号の信号線が複数本束ねた構成であるが、それぞれ独立した例えばＢＮＣコネクタを、端末に取り付けたケーブルを、複数本により接続しても同様の効果である。
【００８７】
また前記複合した例えばＶＧＡケーブルの機能をその他の接続線、例えばＲＳ２３２ＣケーブルやＵＳＢケーブルなどの制御用ケーブルと一体化したものであっても同様の効果である。
【００８８】
次に２の表示装置部について説明する。
【００８９】
図１において５０の画像入力端子に入力された画像信号は、５１のＡＤコンバータに供給される５１のＡＤコンバータは赤色、青色、緑色に相当する３つのＡＤコンバータから構成されるが、それぞれ同様の処理を行うものであり、図１においては便宜上一つのブロック５１で示す。
【００９０】
５１のＡＤコンバータは６９のクロック発生部（ＰＬＬ）からのクロック信号に同期したサンプリング信号でサンプリングされる。５１のＡＤコンバータにより量子化されたデジタル画像データは５２〜５５の画像メモリに供給される。
【００９１】
５２の画像メモリ１
５３の画像メモリ２
５４の画像メモリ３
５５の画像メモリ４
はそれぞれ、前記画像Ａ、Ｂ，Ｃ，Ｄに対応したフレームメモリであり、６３のメモリ書込み制御回路により、該当する画像信号Ａ、Ｂ，Ｃ，Ｄを適宜後述するタイミングで５２〜５５の画像メモリに書き込む。
【００９２】
次に、６４のメモリ読出し制御回路により前記５２〜５５の画像メモリの読出しを行ない５６の表示デバイス部に供給され、最適なコントラスト、明るさ、色調整やガンマ補正等適宜必要な信号処理を行い画像が表示されるものである。
【００９３】
本実施例において表示デバイス部の表示方式は、リアプロジェクション表示デバイスであるが、ＣＲＴや液晶パネル、ＰＤＰ表示パネルその他の表示体であっても良い。
【００９４】
以下に２の表示装置部の具体的な動作について順に説明する。
【００９５】
〔主画面用垂直同期検出〕
５７の垂直主同期検出部においては、前記２３のＶ同期合成部により出力された複合同期信号をコネクタ５０を介して供給を受け、図１３（ａ）に示すようなスレッショルド１においてレベル検知を図１３（ｂ）に示される負極性同期信号のみを選択する。具体的には図１４に示すようなレベルスライスによる分離回路により実現可能になるものである。
【００９６】
主画面の垂直同期信号は連続して供給される為、前述のレベルスライス処理にて分離可能あり、６３のメモリ書込み制御回路に供給される。
【００９７】
〔主画面水平同期検出〕
次に、５９の水平主同期検出部においては、前記２４のＨ同期合成部により出力された複合同期信号を、コネクタ５０を介して供給を受け、前記５７垂直同期検出部同様のレベル検知にて、負極性同期信号のみを選択する。検出された主画面水平同期信号は６３のメモリ書込み制御回路に供給される。
【００９８】
〔副画面垂直同期検出〕
５８の副画面用垂直同期検出部においては、前記２３の垂直同期合成部により出力された複合同期信号を、コネクタ５０を介して供給を受け、図１５（ａ）に示すようなスレッショルド２においてレベル検知して図１５（ｃ）に示される正極性同期信号のみを選択する。具体的には図１６に示すようなレベルスライスによる分離回路により実現可能になるものである。尚、前記信号選択装置部１において付加された、垂直同期一致期間補正信号に関しても、同様の処理によりレベル分離されるもので、６１の垂直同期一致期間補正部に供給される。
【００９９】
〔副画面水平同期検出〕
次に、６０の副画面用水平期検出部においては、前記副画面用垂直同期の検出と同様に、前記２４の水平同期合成部により出力された複合同期信号を、コネクタ５０を介して供給を受け、図１５（ａ）に示すようなスレッショルド２においてレベル検知して図１５（ｃ）に示される様に、正極性同期信号のみを選択する。
【０１００】
尚、前記選択部１において付加された、位相一致補正信号に関しても同様の処理によりレベル分離されるもので６２の水平同期一致期間補正部に供給される。
【０１０１】
〔垂直同期一致期間の位相情報の再生〕
先ず、前記５８の副画面用垂直同期検出部より出力された同期信号は、６１の垂直同期一致期間位相補正回路部により、通常の同期信号に対しては１４Ｔの期間遅延させてから、メモリ書込みパルスを発生する。
【０１０２】
以下図１７を用いて説明を行う。
【０１０３】
図１７（ｂ）は垂直同期一致期間補正部に入力されるＴＩＭＩＮＧ１からＴＩＭＩＮＧ２６までを時系列に表示した波形図を示す。前述の図８に於いて説明した２５の同期一致期間補正信号発生部の出力信号と同じものである。参照タイミングとして主画面垂直同期信号Ｖｍを示してある。
【０１０４】
６１の垂直同期一致期間位相補正回路部において、ＴＩＭＩＮＧ１から１１までと、ＴＩＭＩＮＧ１８から２６に関しては、そのまま垂直同期信号の立ち上がりエッジを基準としてＲ時間と２ΔＴ期間遅延したタイミングでメモリ書込み開始信号として、６３のメモリ書込み制御回路に供給する。
【０１０５】
ここで時間Ｒは本実施例では前記図８の説明時の通り、主画面用垂直同期信号の同期期間に等しい値を使用している。また、ΔＴも同様に前記図８の説明時通りで、ここでは主画面用垂直同期信号を１２分割した時間を使用している。
【０１０６】
以上の動作は遅延手段によって動作可能であり、遅延線、モノマルチバイブレータ回路、パルスカウンタ回路、ＣＰＵを使用したクロック等の計数等により容易に実現出来るものである。尚図１７（ｂ）のＴＩＭＩＮＧ１２からＴＩＭＩＮＧ１７の入力副画面用垂直同期信号は、位相一致の補正信号を含み、６１の垂直同期一致期間補正部において、最初の信号立ち上がりエッジによりタイマーを作動させ、次の立ち上がりエッジが、前記タイマーの終了前の場合は、二度目の立ち上がりエッジタイミングを選択して取り込み、図１７（ｃ）のＴＩＭＩＮＧ１からＴＩＭＩＮＧ２６に示されるようなメモリ書込みタイミング信号として、６３のメモリ書込み制御回路に出力する。
【０１０７】
尚、前記副画面用垂直同期信号として同期一致期間補正信号が付加される条件に於いて、前述の選択装置部１の２５の同期一致期間補助信号発生部の構成によっては、出力される同期一致期間の直前に短いパルス、具体的には２ΔＴの時間以内の副画面用垂直同期信号と主画面用垂直同期信号の共存する期間のパルスが出力される。
【０１０８】
本実施例に於いては、このパルスを考慮して、前記メモリ書込みタイミング信号を発生させる場合において、このパルスのように短い１回限りのパルスは検知しないような、所謂積分効果をもたせるものであり、短くても２回のパルス立ち上がりがあった場合は前述のように、メモリ書込みタイミングとして出力するものである。
【０１０９】
以上の動作を行う回路の参考としては、図１８（ａ）の回路例により実現可能となるものである。又、図１８（ｂ）に主に代表的な位相での同期一致期間補助信号入力の、回路各部の位相関係を示す。尚ＴＩＭＩＮＧ１１の場合、入力パルス幅がほんの僅か広い場合は、そのまま入力の立ち上りエッジにて、ＴＩＭＩＮＧ６から１０同様の処理となるが、図中には、ほんの僅か入力パルスが狭い場合の処理として、取り扱う。この場合図示していないが送り出し（選択装置１）側にて、ＴＩＭＩＮＧ１２と同様の処理出力を行うものである。
【０１１０】
〔水平同期一致期間の位相情報の再生〕
前記６１の垂直同期一致期間の位相情報の取り扱いと同様に６２の水平同期一致期間補正部により処理され、６３のメモリ書込み制御回路に、メモリ水平書込み開始タイミング信号として出力するものである。６２の水平同期一致期間補正部の基本的な回路の構成は、前記６１の垂直同期一致期間位相補正回路部に同様に構成出来るものである。ただし動作のタイミングが水平動機の転送周期で対応するため相対的に速い処理となることは勿論である。
【０１１１】
〔ＩＤ検出部〕
次に６９のＩＤ検出部においては、画像信号のブランキング期間に相当するタイミングで、前記２７のＩＤ付加回路によりＩＤ信号が重畳されており、このＩＤ信号を検出するものである。
【０１１２】
前述のように周波数の違いを弁別する周波数弁別回路により構成して検出できる。
【０１１３】
検出された画像選択信号は６３の書込み制御回路に供給され、６３の書込み制御回路においては、それぞれの画像信号に対応したメモリの書込みアドレスの決定制御が可能となるものである。
【０１１４】
尚、主画面と副画面を認識する為には、予め、６７のマイクロコンピュータにより、連続して複数の、本実施例では８回のフレームを検知した画像が主画面として、登録して表示を行なうものである。
【０１１５】
〔書き込み用クロック発生部〕
次に６９のクロック発生部はＰＬＬ回路で構成され、主画面用水平同期検出部５９から検出された、主画面用水平同期信号を６３の書込み制御回路において適宜ノイズ処理、タイミング等の処理を行い、或いは直接に６９のクロック発生部の参照信号（レファレンス）として入力し、該水平同期信号に位相ロックしたクロック信号を発生して、前記記載の５１のＡＤコンバータ、及び６３のメモリ書込み制御回路、さらに５２のメモリ１、５３のメモリ２、５４のメモリ３、５５のメモリ４、等のクロック信号基準となるものである。
【０１１６】
〔メモリ書込み制御回路（タイミング発生回路部）〕
メモリ書込み制御回路部６３には、前記説明したように、前記主画面垂直同期検出部５７と、前記主画面水平同期検出部５９からの主画面垂直同期信号と、主画面用水平同期信号、と前記６１の垂直同期一致期間位相補正信号処理部と、６２の水平同期一致期間位相補正信号処理部からの、副画面メモリ垂直書込みスタート信号と、副画面メモリ水平書込みスタート信号が入力されている。
【０１１７】
メモリ書込み制御回路部６３では、主画面垂直同期信号と主画面水平同期信号と、クロック発生回路６９からのクロック信号とのタイミング処理により主画面の画像信号のメモリへの書き込み開始パルス、と書き込み停止パルス、及びイネーブルパルス等を発生して、５２の主画面画像メモリに順次書き込みを行う。本実施例においては図１９に各メモリのアドレスの例を示す。図１９に示すように、主画面メモリ５２は、水平１０２４×垂直７６８画素分のメモリアドレス（水平０から１０２３、垂直０から７６７）に対して書き込みを行う。
【０１１８】
連続して入力される主画面の画像は本実施例においては、前記画像選択装置部より入力された画像のタイミングとして、前記図５のようなタイミングである。最初に主画面Ａは、８フレーム入力され、８フレームの期間、主画面メモリ５２にフレーム単位で逐次書き込みを行う。該８フレームの書き込み後、他のメモリに対して副画面の書き込みを行う。
【０１１９】
次に副画面の書き込みに関して、画像メモリ５３、５４、５５への書き込みデータ量は、副画面としての表示サイズに応じて、例えば小画面の場合は、データ単位の及びライン単位の間引きを行い、取り込み画素数を削減して前記副画面用の画像メモリの削減を行ってもよい。
【０１２０】
次に画像信号は、Ｃｎ画像信号が伝送され、前記同様にメモリ書込み制御回路部６３の制御信号により、画像メモリ５３に書き込みを行う。
【０１２１】
画像メモリ５３への書き込みは、図２０に示すようなアドレス水平０から３４０、垂直０から２５５の範囲）で、１フレーム分の画像がライン及びドット単位に間引いて書き込まれる。
【０１２２】
次に、Ｂｎ画像信号が伝送され、前記同様にメモリ書込み制御回路部６３の制御信号により、画像メモリ５４に書き込みを行う。
【０１２３】
画像メモリ５４への書き込みは前記Ｃｎ同様に、図１９に示すようなアドレスで、１フレーム分の画像がライン及びドット単位に間引いて書き込まれる。
【０１２４】
さらにＤｎ画像信号が伝送され、前記同様にメモリ書込み制御回路部６３の制御信号により、画像メモリ５５に書き込みを行う。
【０１２５】
画像メモリ５５への書き込みは前記Ｂｎ同様に、図１９に示すようなアドレスで、１フレーム分の画像がライン及びドット単位に間引いて書き込まれる。
【０１２６】
ここで、副画面の画像信号であるＢ、Ｃ、Ｄの画像信号が各々の書込み対象である画像メモリ５３、画像メモリ５４、画像メモリ５５への書込み期間は、この主画面メモリ５２への書き込みは停止される。
【０１２７】
次に再びＡ画像である図５のＡ（ｎ＋１２）から順次Ａ（ｎ＋１９）をメモリ５２に書き込む。以降同様にＣ，Ｂ，Ｄ，Ａと順次書き込みを繰り返すものである。
【０１２８】
〔画像メモリの読み出し〕
次に図１に示される６６のクロック発生回路より発生したクロック信号を元に、タイミングパルス発生部６５のタイミング生成、読み出し制御回路６４により前記５２から５５のメモリ回路の読み出しを行う。
【０１２９】
本実施例において、メモリ５２、メモリ５３、メモリ５４、メモリ５５は書き込みと読み出しが独立に制御可能なマルチポートメモリーである。
【０１３０】
メモリ５２〜５５の読み出しは、図２０に示すような画面の表示に対応して行われる。
【０１３１】
図２０の表示画像例において、Ａは主画面としての前記Ａ画像信号のメモリ５２からの画像の表示であり、表示画面がＸＧＡの水平１０２４０、垂直７６８の表示画素数に対して、走査線０ラインから５１１ラインまでを０ドットから１０２３ドットの範囲で読み出し、表示する。
【０１３２】
次に副画面として、メモリ５３のＢ画像の０ラインを０ドットから３４０ドットまで読み出し、続けてメモリ５４のＣ画像の０ラインを０ドットから３４０ドットまで読み出し、メモリ５５のＤ画像の０ラインを０ドットから３４０ドットまで読み出し、表示エリアの５１２ライン０ドットから１０２３ドットまで図２０に示されるように表示する。
【０１３３】
次に、メモリ５３のＢ画像の１ラインを０ドットから３４０ドットまで読み出し、続けてメモリ５４のＣ画像の１ラインを０ドットから３４０ドットまで読み出し、メモリ５５のＤ画像の１ラインを０ドットから３４０ドットまで読み出し、表示エリアの５１３ラインの０ドットから１０２３ドットまでを前記同様に表示する。
【０１３４】
以下続けて、メモリ５３〜５５までのそれぞれの２ラインを同様に、以下３ラインから２５５ラインまで読み出し、前記表示エリアの続きである走査線５１２ラインから７６７ラインまでの０ドットから１０２３ドットの範囲に順次表示を行う。
【０１３５】
以上で、前記表示部の表示が１フレーム分行ったことになり、以下連続的に
前記説明の、６６のクロック発生回路より発生したクロック信号を元にした、タイミングパルス発生部６５のタイミング生成、読み出し制御回路６４により、にフレームの読み出しを行うものである。
【０１３６】
尚、入力の主画面のフレームレートに同期させたい場合は、主画面用、垂直同期信号により表示部の読み出しタイミングのリセット、或いは位相ロック化を行えばよい。
【０１３７】
又、本実施例では、メモリの書き込みを、各入力画像に独立に対応したメモリアドレスにて行い、読み出し時のメモリ読み出しアドレスにて、表示部への表示位置の制御を、行ったが、あらかじめ表示デバイスの表示エリアを想定して、メモリのサイズを設定して、順次入力される前記Ａ、Ｂ、Ｃ、Ｄ画像の書き込み時の、前記メモリ書き込みアドレスを制御して書き込みを行い、前記メモリの読み出し時は、表示デバイスの走査線（ライン）順、そして各ラインを水平方向に順次走査する、コンスタントなメモリ読み出しでも、同様の動作が可能である。
【０１３８】
〔主画面の検出〕
次に主画面の表示装置側での検知方法として、前記表示装置側での画像チャネルの連続送出フレーム数によるＣＰＵ等での計数による方法以外に、本実施例においては、前記２７のＩＤ付加回路において、ＩＤ信号に主画面であることの信号を追加して送出した後、表示装置部の６９のＩＤ検出部において主画面を検出するものである。同様に、副画面に於いても、表示位置のコードをあらかじめ決めて置き、信号選択装置の各画像に表示位置コードを選択して付加することにより、表示装置部において副画面の表示位置を制御可能と成るものである。
【０１３９】
前記ＩＤ信号に関して、ＩＤ検出手段は周波数の違い、又は位相の違い、又はパルス幅の違い、パルスコードの違い、電圧の違いのいずれかを予め画像選択装置と同一の方法決めて検出することが出来るものである。
【実施例２】
【０１４０】
画像表示装置からの信号選択制御
前記実施例１に於いて説明した画像信号選択装置と画像表示装置は、画像選択装置側より主画面及び副画面の選択を行っているが、第二の実施例に於いては、画像表示装置側において主画面及び副画面の選択制御を行い、選択制御信号を第二の接続手段例えばＲＳ２３２Ｃなどのシリアル通信ケーブルにより、選択装置１に送出して、画像の選択制御を行うものである。
【実施例３】
【０１４１】
次に前記実施例１に示された画像選択装置部において、複数画像信号入力にそれぞれ対応した数だけ通信制御用端子を備え、前記画像信号の主信号の選択チャネルの前記通信制御用端子を選択して画像表示装置部が備える通信制御用端子と接続するものであり、会議用ノートＰＣから通信制御用端子を介して、画像表示装置部とのモード設定やデータの通信を可能とするものである。
【図面の簡単な説明】
【０１４２】
【図１】本発明による選択装置と表示装置の第一の実施例を示す構成図である。
【図２】第一の実施例の選択装置と表示装置とによる会議システムの構成例。
【図３】第一の実施例に対応する回路ブロック図。
【図４】選択装置部の信号選択選択順序決定部の回路構成を示す図。
【図５】選択装置部の信号選択タイミングの例を示す図。
【図６】選択装置部の垂直同期選択タイミングの例を示す図。
【図７】垂直同期信号の合成例を示す図。
【図８】垂直同期信号の同期一致期間補正の例を示す図。
【図９】垂直同期信号の同期一致期間補正回路例を示す図。
【図１０】垂直同期信号の合成例を示す図。
【図１１】水平同期信号の合成例を示す図。
【図１２】水平同期一致期間補正信号発生例を示す図。
【図１３】垂直同期分離の動作を示す図。
【図１４】垂直同期分離回路例を示す図。
【図１５】水平同期分離の動作を示す図。
【図１６】水平同期分離回路の例を示す図。
【図１７】垂直同期一致期間再生回路の動作タイミングを示す図。
【図１８】垂直同期一致期間再生回路の例を示す図。
【図１９】メモリ書込みアドレスを示す図。
【図２０】画像表示エリアとアドレスの関係を説明する図。
【図２１】従来例を示す図。
【符号の説明】
【０１４３】
１  信号選択装置部
２  表示装置部
３  画像信号伝送ケーブル
１０〜１３  画像信号入力端子
１４  画像信号選択部
１５  画像信号出力端子
１６  主画面用垂直同期信号選択部
１７  主画面用水平同期信号選択部
１８  副画面用垂直同期信号選択部
１９  副画面用水平同期信号選択部
２０  信号選択順序決定部
２１  垂直同期反転部
２２  水平同期反転部
２３  垂直同期合成部
２４  水平同期合成部
２５、２６  同期一致期間補正信号発生部
２７  信号選択操作部
２８  ＩＤ付加部
５０  画像信号入力端子
５１  ＡＤコンバータ
５２、５３、５４、５５  画像メモリー
５６  表示デバイス部
５７  主画面用垂直同期信号検出部
５８  副画面用垂直同期信号検出部
５９  主画面用水平同期信号検出部
６０  副画面用水平同期信号検出部
６１  垂直同期一致期間補正部
６２  水平同期一致期間補正部
６３  メモリの書き込み制御部
６４  メモリ読出し制御部
６５  タイミングパルス発生部
６６  クロック発生部
６７  マイクロコンピュータ以下ＣＰＵ
６８  操作スイッチ部
６９  ＩＤ検出部
１０１  ノートＰＣ
１０２  会議テーブル
【図１】
2006337732.tif 000003
【図２】
2006337732.tif 000004
【図３】
2006337732.tif 000005
【図４】
2006337732.tif 000006
【図５】
2006337732.tif 000007
【図６】
2006337732.tif 000008
【図７】
2006337732.tif 000009
【図８】
2006337732.tif 000010
【図９】
2006337732.tif 000011
【図１０】
2006337732.tif 000012
【図１１】
2006337732.tif 000013
【図１２】
2006337732.tif 000014
【図１３】
2006337732.tif 000015
【図１４】
2006337732.tif 000016
【図１５】
2006337732.tif 000017
【図１６】
2006337732.tif 000018
【図１７】
2006337732.tif 000019
【図１８】
2006337732.tif 000020
【図１９】
2006337732.tif 000021
【図２０】
2006337732.tif 000022
【図２１】
2006337732.tif 000023